(57)【要約】      （修正有）【課題】コンクリート粉等が入る環境で使用された際、ラッチ部分に粉じんが浸入しても、ラッチのがたつきを低減し、電池パックを本体から円滑に着脱できる電池パックを提供する。【解決手段】電池セルを収容するハウジングと、前記ハウジングに設けられる操作部と、前記操作部に設けられ機器本体側の受部と係合する係合部と、前記操作部を前記ハウジングの外周方向に付勢する弾性体と、を有する電池パックにおいて、電池パックは、ハウジング１６，１１と操作部３１との間に凸部５２を形成し、凸部５２を介在して操作部３１は擦動可能に構成されている。【選択図】図８
2014038719.tif 000002
【特許請求の範囲】
【請求項１】
電池セルを収容するハウジングと、
前記ハウジングに設けられる操作部と、
前記操作部に設けられ機器本体側の受部と係合する係合部と、
前記操作部を前記ハウジングの外周方向に付勢する弾性体と、を有する電池パックにおいて、
前記ハウジングと前記操作部との摺動部を凸部で構成したことを特徴とする電池パック。
【請求項２】
前記凸部は前記操作部に設けられ、前記ハウジング側へ延びていることを特徴とする請求項１に記載の電池パック。
【請求項３】
前記凸部は前記ハウジングに設けられ、前記操作部側へ延びていることを特徴とする請求項１に記載の電池パック。
【請求項４】
前記操作部は、前記凸部を介して前記ハウジングに擦動可能に構成されていることを特徴とする請求項１乃至請求項３のいずれか一項に記載の電池パック。
【発明の詳細な説明】
【技術分野】
【０００１】
本発明は、電動工具及び電気機器に使用する電池パックに関するものである。
【背景技術】
【０００２】
従来から作業性を良くするために、電池パックを動力として動く電動工具がある。この電池パックは、開口部が形成されたハウジングを有し、ハウジング内には、セル群、基板、及び電池パックを工具側に取り外し可能に係合／非係合を開閉動作するラッチが設けられている。ラッチ（操作部）は弾性体の付勢に抗して内側方向にスライドできるようになっており、ラッチのスライドに連動して係合部が工具側の受部と係合／非係合となるような構成となっている。
【先行技術文献】
【特許文献】
【０００３】
【特許文献１】特開２００８−６６１４１
【発明の概要】
【発明が解決しようとする課題】
【０００４】
しかし、図９と図１０に示すように、従来の電池パックはラッチとケース（ハウジング）に設けられた穴の間には微小な隙間が設けられており、穴の全周がフックのガイドになりスライド動作するような構成である。コンクリート粉等が入る環境で使用した場合、前記微小隙間に粉じんが入り込み、容易に粉じんが排出されない。その結果、摺動面の摩擦力が大きくなり、ラッチのスライドが円滑に行えず、最終的にラッチの摺動がうまくいかず電池パックを工具本体から取り外しづらくなるという欠点があった。
【０００５】
そこで本発明は、上記従来の欠点を解消し、コンクリート粉等が入る環境で使用されても、電池パックを本体から円滑に着脱できる電池パックを提供することである。
【課題を解決するための手段】
【０００６】
上記目的を達成するために、本発明は、電池セルを収容するハウジングと、前記ハウジングに設けられる操作部と、前記操作部に設けられ機器本体側の受部と係合する係合部と、前記操作部を前記ハウジングの外周方向に付勢する弾性体とを有する電池パックにおいて、前記ハウジングと前記操作部との摺動部を凸部で構成した電池パックを提供する。
【０００７】
また、本発明は、前記凸部は前記操作部に設けられ、前記ハウジング側へ延びている電池パックを提供する。
【０００８】
さらに、本発明は、前記凸部は前記ハウジングに設けられ、前記操作部側へ延びている電池パックを提供する。
【０００９】
さらに、本発明は、前記操作部は、前記凸部を介して前記ハウジングに擦動可能に構成されている電池パックを提供する。
【発明の効果】
【００１０】
請求項１〜４に記載の発明によれば、コンクリート粉等が入る環境で使用されても、電池パックを工具本体から円滑に着脱することができる。
【図面の簡単な説明】
【００１１】
【図１】本発明の電池パックを挿入した工具を示す正面図。
【図２】本発明の電池パックの実施例１（スライド式）を示す斜視図。
【図３】本発明の電池パックの実施例２（回動式）を示す斜視図。
【図４】本発明の電池パックの実施例１（スライド式）を示す内部正面図。
【図５】本発明の電池パックの実施例２（回動式）を示す内部正面図。
【図６】本発明の電池パックの実施例１（スライド式）を示す主要拡大図。
【図７】本発明の電池パックの実施例２（回動式）を示す主要拡大図。
【図８】本発明の電池パックの凸部周辺を示す要部拡大図。
【図９】従来の電池パックの操作部周辺を示す主要拡大図。
【図１０】従来の電池パックが目詰まりを起こした状態の主要拡大図。
【発明を実施するための形態】
【００１２】
本発明の実施の形態による電池パック及び電池パックを備える電動工具について図１から図５に基づき説明する。以下の説明において、図１に図示される方向を前後方向とする。図１に示すように、電動工具であるドリル１は、本体部２と、ハンドル３と、電池パック１０とを主に備えて構成されている。  
【００１３】
本体部２は、図示せぬモータを内蔵しており、先端部分に出力部であってドリルビットを装着可能な工具保持部２Ａが設けられている。ハンドル３は本体部２の後端部分から延出されており、その延出部分の基端部分には、トリガ３Ａが設けられている。トリガ３Ａは、電池パック１０から図示せぬモータに供給される電気を制御する。また、ハンドル３の延出方向端部には、複数の第２端子（不図示）と嵌合する板状の複数の第１端子（不図示）が設けられている。  
【００１４】
電池パック１０は、ハンドル３の延出方向先端部分にドリル１の前後方向に沿って着脱可能に設けられている。電池パック１０について、図２乃至図５に基づき詳細に説明する。電池パック１０は、ハウジング１１と、セル群１２と、基板１３と、複数の第２端子１４と、カバー１５とを備えている。ハウジング１１は、上側ハウジング１６と下側ハウジング１７とを備え、セル群１２、基板１３、複数の第２端子１４、及びカバー１５を収容している。上側ハウジング１６は、端子挿入部１６Ａと、開口規定部１６Ｂとを主に備えている。端子挿入部１６Ａと開口規定部１６Ｂとにより、略長方形状の開口部１６ｃが規定されている。開口部１６ｃは、電池パック１０を図示せぬ充電器に連結して充電を行う際に、図示せぬ充電器の端子を保護する板状の保護部材を挿入する挿入部として機能する。また、端子挿入部１６Ａには、後方に向かって開口する複数のスロット１６ｄが形成されている。  
【００１５】
セル群は、複数のセルを備え、各セルは、ニッケル水素電池又はリチウムイオン電池等からなり、複数回充放電可能な電池である。基板１３は、セル群上に設けられ、セル群と電気的に接続されている。基板１３には、開口部１６ｃの長手方向に沿って延びる端子配置部１３Ａが規定されている。また、基板１３の後方側の端縁１３Ｂは、上側ハウジング１６の開口規定部１６Ｂの前方側の端縁１６Ｅに対向するように配置されている。  
【００１６】
複数の第２端子は、基板１３の端子配置部１３Ａに、開口部１６ｃの長手方向に沿って並ぶように配置され、基板１３と電気的に接続されている。複数の第２端子は、電池パック１０が一体に組まれた状態で、それぞれスロット１６ｄ内に位置する。複数の第２端子は、それぞれ平板をＵ字形状に曲げ、開口端部を塞ぐように平板の端部付近を接触させた形状をなしている。そして、電池パック１０がハンドル３の先端に取り付けられるときは、第１端子は、後方側からスロット１６ｄに挿入され、第２端子にその開口端部を押し広げるように嵌合圧入されて、第１端子と第２端子とは嵌合する。
【００１７】
つぎに、実施例１のタイプの電池パックの発明部分について図２と図４に基づいて説明する。図４は、操作部（ラッチ）３１が、上側ハウジング１６の短手方向と平行にスライド摺動するタイプの構成を示しており、下側ハウジング１７のケース内の上面に収容されたラッチ３１が弾性体３２によってハウジング１１の外側方向に付勢されている。ラッチが図４の紙面と垂直上方向に動くことを防ぐため、締付ねじ３４によって、紙面と垂直下方向に保持している。さらに、ハウジング１１にはラッチ３１をガイドする溝３５が形成され、溝３５に沿ってラッチ３１が移動することによって、ラッチに形成されたフック状の係合部３０が連動して摺動し、工具本体１側に設けられた受部３３と係合することで電池パック１０と工具本体1とを固定する。
【００１８】
つぎに、実施例２のタイプの電池パックの発明部分について図３と図５に基づいて説明する。図５は、操作部（ラッチ）３１が、締付ネジ３４上の軸を中心に回動するタイプの構成を示しており、下側ハウジング１７のケース内の上面に収容されたラッチ３１が弾性体３２によってハウジング１１の外側方向に付勢されている。ラッチが図４の紙面上方向に動くことを防ぐため、締付ねじ３４によって、紙面下方向に保持している。さらに、ハウジング１１にはラッチ３１をガイドする不図示の溝が形成され、溝３５に沿ってラッチ３１が移動することによって、ラッチに形成されたフック状の係合部３０が連動して摺動し、工具本体１側に設けられた受部３３と係合することで電池パック１０と工具本体1とを固定する。
【００１９】
つぎに、本発明の主要部分について図６から図８に基づいて説明する。図６は実施例１のタイプの電池パック（スライド式）の操作部付近の主要拡大図、図７は実施例２のタイプの電池パック（回動式）の操作部付近の主要拡大図を示しており、ハウジング１６（１１）に設けられた穴部５１に操作部３１が貫通して挿入されている。作業者は紙面と垂直上下方向に操作部３１を押すことによって、工具本体１と電池パック１０を着脱するが、その際に図６の隙間５４は微小隙間５０より距離が大きく設計されており、隙間５４に浸入した微小なコンクリート片や切粉（粉じん５３）が目詰まりを起こすことなく、比較的容易に外部に排出されるため、電池パック１０を工具本体１から円滑に着脱することができる。
【００２０】
さらに、ハウジング１６（１１）と操作部３１との間に凸部５２を形成し、凸部５２を介在して操作部３１は擦動可能に構成されているため、ハウジング１１と操作部３１との間でがたつきを起こすことなく、作業性の良い電池パックを提供することができる。また、凸部５２は操作部３１に設けられ、ハウジング１６（１１）側へ延びている構成にしてもよい。また、凸部５２はハウジング１６（１１）に設けられ、操作部３１側へ延びている構成としてもよい。
【００２１】
なお、上述の実施形態では、操作部３１が係合部３０と一体に形成されているが、係合部３０と連動するものであれば必ずしも一体に形成されている必要はない。  
【００２２】
また、上述した実施例は、弾性体３２として圧縮バネを設けた場合の例であるが、弾性体３２はバネのほか、ゴム等であってもよい。  
【００２３】
また、上述の実施形態では、操作部３１を内側に押圧し、係合部３０を解除させる構成であるが、例えば操作部３１にテーパ面を設け、スライドさせることで係合部３０を解除させる構成であってもよい。
【００２４】
また、ハウジング１１と操作部３１の摺動性を良くするために、凸部５２は摩擦係数の小さい別部材で形成されていてもよい。
【００２５】
尚、本発明の電池パック及び電池パックを備えた電動工具は、上述した実施の形態に限定されず、特許請求の範囲に記載した範囲で種々の変形や改良が可能である。
【符号の説明】
【００２６】
１・・工具本体、ハウジング・・１１、係合部・・３０、操作部・・３１、受部・・３３、微小隙間・・５０、穴部・・５１、凸部・・５２、粉じん・・５３、隙間・・５４
【図１】
2014038719.tif 000003
【図２】
2014038719.tif 000004
【図３】
2014038719.tif 000005
【図４】
2014038719.tif 000006
【図５】
2014038719.tif 000007
【図６】
2014038719.tif 000008
【図７】
2014038719.tif 000009
【図８】
2014038719.tif 000010
【図９】
2014038719.tif 000011
【図１０】
2014038719.tif 000012